(57)【特許請求の範囲】
【請求項１】
筐体と、
この筐体に固定された固定接触子と、
この固定接触子に接離して負荷電流を入切する可動接触子と、
この可動接触子が上記固定接触子から開離するときに発生したアークを消弧する消弧装置とを備えた回路遮断器において、
上記消弧装置は、上記固定接触子に流れる電流に基いて上記固定接触子の周囲に発生する磁束が所定の磁束量以上のときに吸引されて上記消弧装置を上記可動接触子と上記固定接触子の開閉位置から遠ざかる方向に移動させる磁性板を備えたことを特徴とする回路遮断器。
【請求項２】
消弧装置を可動接触子と固定接触子の開閉位置側に付勢する弾性部材を備えたことを特徴とする請求項１記載の回路遮断器。
【請求項３】
固定接触子に巻装されこの固定接触子に流れる電流に基いて発生する磁束を導いて磁性板を吸引する導磁環を備えたことを特徴とする請求項１記載の回路遮断器。
【請求項４】
筐体と、
この筐体に固定された固定接触子と、
この固定接触子に接離して負荷電流を入切する可動接触子と、
この可動接触子が上記固定接触子から開離するときに発生したアークを消弧する消弧装置と、
上記固定接触子に電気的に接続されると共に上記可動接触子と上記固定接触子の開閉位置近傍から上記消弧装置近傍に延設されて上記アークを上記可動接触子と上記固定接触子の開閉位置から遠ざかる方向に移行させるアークランナとを備えた回路遮断器において、
上記アークランナは、一方端が上記固定接触子に回動自在に保持され、他方端は上記アークランナを可動接触子と固定接触子の開閉位置側に付勢する押圧部材に抗して上記可動接触子と上記固定接触子の開閉位置から遠ざかるように回動するものであって、上記固定接触子に流れる電流に基いて上記固定接触子の周囲に発生する磁束が所定の磁束量以上のときに上記アークランナの他方端が上記可動接触子と上記固定接触子の開閉位置から遠ざかる方向に回動することを特徴とする回路遮断器。
【請求項５】
固定接触子に巻装されこの固定接触子に流れる電流に基いて発生する磁束を導いてアークランナを吸引する導磁環を備えたことを特徴とする請求項４記載の回路遮断器。
【発明の詳細な説明】
【０００１】
【発明の属する技術分野】
この発明は電路に流れる電流を入切する回路遮断器に関し、特に電流の遮断性能の向上に係るものである。
【０００２】
【従来の技術】
図８は、例えば特開２００１−１９５９６５号公報に示された従来の回路遮断器を示す縦断面図、図９は図８の回路遮断器が開路したときの要部拡大断面図、図１０は図８の回路遮断器の消弧装置の単体図で（ａ）は平面図、（ｂ）は右側面図である。
【０００３】
図において、１は、例えば銅等の良導体から形成された可動接触子、２は可動接触子１の一端に固着された可動接点、３は可動接触子１が回動したときに可動接点２と接離する固定接点、４は固定接点３が固着されると共に後述のベース１２に固定された固定接触子、５は固定接触子４の他端に設けられ、電路の電線が接続される端子部である。
【０００４】
６は、可動接点２と固定接点３が開離するときに発生した後述のアーク２１を、可動接点２と固定接点３の開閉位置から遠ざかる方向に引き伸ばして冷却しアーク２１を消弧する消弧装置で、互いに空隙を介して積層配列され可動接点２が固定接点３から開離するときに発生したアーク２１のアーク電流により磁束を導磁する、例えば鋼板などの磁性体で形成された複数の消弧板６ａと、消弧板６ａを両端で保持する絶縁体で形成された消弧側板６ｂにより構成されている。
７は可動接触子１を開閉させる機構部、８は機構部７を手動で操作するためのハンドル、９は回路遮断器に過電流が流れた場合に検出し機構部７をトリップさせる引外し装置、１０は電路の電線が接続されるもう一方の端子部である。
【０００５】
１１はカバー、１２はベースで、上記の構成部品を収納する筐体１３を構成している。
１４は機構部７と連動する例えば、樹脂成型品で形成されたクロスバーで、クロスバー１４と可動接触子１はこれらを貫通する軸１５により回動自在に保持されている。
２１は可動接点２が固定接点３から開離するときに可動接点２と固定接点３間に発生するアークである。
【０００６】
次に、以上のように構成された従来の回路遮断器の動作について説明する。
端子部５を電源に、端子部１０を負荷に接続し、ハンドル８を操作すると、機構部７が動作して可動接触子１が回動し、可動接点２と固定接点３とが接触することにより電力が電源から負荷に供給される。
【０００７】
回路遮断器に定格電流を超過して過電流が流れると、引外し装置９が過電流を検出し、機構部７を動作させ、軸１５を支点に可動接触子１を矢印Ａ方向に回動させることにより可動接点２と固定接点３が開離し、可動接点２と固定接点３の間にアーク２１が発生するが、小電流領域のアーク２１はエネルギーが小さく、消弧板６ａに発生した磁束とアーク電流による電磁力によりアーク２１は消弧装置６の消弧板６ａ部の方向へ引き伸ばされて冷却されることによりアーク２１は比較的容易に消弧され、電流は遮断される。
【０００８】
一方、回路遮断器の負荷側で短絡事故などが起こり、回路遮断器に短絡電流などの大電流が流れる（大電流領域）と、可動接点２と固定接点３の間の接触面における電磁反発力や、固定接触子４と可動接触子１との間の電磁反発力が非常に強くなり、可動接触子１は引外し装置９および機構部７による引外し動作を待たずに矢印Ａ方向に回動し、可動接点２と固定接点３が開離するが、可動接点２と固定接点３間に発生した大電流によるアーク２１は、消弧板６ａに発生した磁束とアーク電流による強力な電磁力によって消弧装置６の消弧板６ａ部の方向へ引き伸ばされて冷却される。
【０００９】
アーク２１が冷却されると、アーク抵抗が上昇し、アーク電流を小さく絞る限流作用が生じ、電流のゼロクロス点でアーク２１は消弧されて電流遮断が完了するが、この大電流遮断時に発生するアーク２１のアークエネルギーによりカバー１１、ベース１２、消弧板６ａなどの周囲の絶縁物が溶融し、ガス化されて回路遮断器内部の圧力を瞬間的に上昇させる。
【００１０】
【発明が解決しようとする課題】
従来の回路遮断器は以上のように構成されており、回路遮断器は定格電流に近い小電流領域から短絡電流などの大電流領域に渡って、可動接点２と固定接点３間に発生したアークを速やかに消弧する遮断性能が必要であるが、その性能は消弧装置６の構造や消弧装置６の配置位置に大きく左右される。
【００１１】
定格電流に近い小電流領域における電流の遮断動作においては、可動接点２と固定接点３間に発生したアーク２１の径は小さく、消弧板６ａに発生した磁束とアーク電流による電磁力も小さいため、発生したアーク２１が消弧装置６の消弧板６ａ部の方向へ移動せずに接点近傍に留まることにより、アーク２１が消弧される時間が長くなるがアーク２１のエネルギーが小さく、可動接点２及び固定接点３の消耗などの悪影響は少ない。
【００１２】
しかし、短絡電流のような大電流の遮断動作においては、消弧板６ａに発生した磁束とアーク電流による強力な電磁力が発生するものの、アーク径が大きいため、アーク２１と消弧板６ａが近接していると、消弧板６ａの端部（図９の左側）にアークが停滞してしまい消弧板６ａの端子部５側（図９の右側）へアーク２１が伸長され難く、アーク電流を小さく絞る限流作用が十分得られず、遮断不能になったり、アーク２１の熱により可動接点２、固定接点３及びその近傍にある樹脂成型品などが溶融するという問題があった。
【００１３】
さらにまた、電路に流れる電流がゼロクロス点のない直流電流の場合においては、アークが持続して遮断不能となるという問題点があり、小電流領域における電流の遮断、大電流の遮断、直流電流の遮断の全てを満足させる遮断動作ができないという問題があった。
【００１４】
この発明は、かかる問題点を解決するためになされたものであり、小電流領域における電流の遮断、大電流の遮断、及び直流電流の遮断において遮断性能を満足させることができる回路遮断器を提供することを目的としている。
【００１５】
【課題を解決するための手段】
この発明に係る回路遮断器は、筐体と、この筐体に固定された固定接触子と、この固定接触子に接離して負荷電流を入切する可動接触子と、この可動接触子が上記固定接触子から開離するときに発生したアークを消弧する消弧装置とを備えた回路遮断器において、上記消弧装置は、上記固定接触子に流れる電流に基いて上記固定接触子の周囲に発生する磁束が所定の磁束量以上のときに吸引されて上記消弧装置を上記可動接触子と上記固定接触子の開閉位置から遠ざかる方向に移動させる磁性板を備えたものである。
【００１７】
また、消弧装置を可動接触子と固定接触子の開閉位置側に付勢する弾性部材を備えたものである。
【００１８】
また、固定接触子に巻装されこの固定接触子に流れる電流に基いて発生する磁束を導いて磁性板を吸引する導磁環を備えたものである。
【００１９】
また、筐体と、この筐体に固定された固定接触子と、この固定接触子に接離して負荷電流を入切する可動接触子と、この可動接触子が上記固定接触子から開離するときに発生したアークを消弧する消弧装置と、上記固定接触子に電気的に接続されると共に上記可動接触子と上記固定接触子の開閉位置近傍から上記消弧装置近傍に延設されて上記アークを上記可動接触子と上記固定接触子の開閉位置から遠ざかる方向に移行させるアークランナとを備えた回路遮断器において、上記アークランナは、一方端が上記固定接触子に回動自在に保持され、他方端は上記アークランナを可動接触子と固定接触子の開閉位置側に付勢する押圧部材に抗して上記可動接触子と上記固定接触子の開閉位置から遠ざかるように回動するものであって、上記固定接触子に流れる電流に基いて上記固定接触子の周囲に発生する磁束が所定の磁束量以上のときに上記アークランナの他方端が上記可動接触子と上記固定接触子の開閉位置から遠ざかる方向に回動するものである。
【００２０】
また、固定接触子に巻装されこの固定接触子に流れる電流に基いて発生する磁束を導いてアークランナを吸引する導磁環を備えたものである。
【００２１】
【発明の実施の形態】
実施の形態１．
図１は本発明の実施の形態１における回路遮断器を示す縦断面図、図２は図１の回路遮断器が開路したときの要部拡大断面図、図３は図１の回路遮断器の消弧装置の単体図で（ａ）は平面図、（ｂ）は右側面図である。
【００２２】
図において、１は、例えば銅等の良導体から形成された可動接触子、２は可動接触子１の一端に固着された可動接点、３は可動接触子１が回動することにより可動接点２と接離する固定接点、４は固定接点３が固着されると共に後述のベース１２に固定される固定接触子、５は固定接触子４の他端に設けられ、電路の電線が接続される端子部である。
【００２３】
７は可動接触子１を開閉させる機構部、８は機構部７を手動で操作するためのハンドル、９は回路遮断器に過電流が流れた場合に検出し機構部７をトリップさせる引外し装置、１０は電路の電線が接続されるもう一方の端子部である。
【００２４】
１１は、例えば樹脂成型品で形成されたカバー、１２は、例えば樹脂成型品で形成されたベースで、上記した回路遮断器の構成部品を収納する筐体１３を構成している。
１４は機構部７と連動する例えば、樹脂成型品で形成されたクロスバーで、クロスバー１４と可動接触子１はこれらを貫通する軸１５により回動自在に保持されている。
１６は、弾性部材である板ばねで、例えばステンレス板から形成されており、一方端が固定部材１６ａによりベース１２に固定され、他方端で後述の消弧装置６０を可動接点２と固定接点３の開閉位置側（図２の左側方向）に付勢している。
２１は可動接点２が固定接点３から開離するときに可動接点２と固定接点３間に発生するアークである。
【００２５】
６０は、可動接点２が固定接点３から開離するときに発生した後述のアーク２１を可動接点２と固定接点３の開閉位置から遠ざかる方向に引き伸ばして冷却しアーク２１を消弧する消弧装置で、互いに空隙を介して積層配列され可動接点２が固定接点３から開離するときに発生したアークのアーク電流により磁束を導磁する、例えば鋼板などの磁性体で形成された複数の消弧板６１と、消弧板６１を両端で保持する絶縁体で形成された消弧側板６２、及び可動接点２が固定接点３から開離するときに発生したアーク２１の圧力を受圧する絶縁体で形成された受圧板６３により構成されている。
６４は消弧装置６０に嵌挿される共に両端がカバー１１またはベース１２に保持されて消弧装置６０を回動自在に支持する支持軸である。
【００２６】
次に、以上のように構成された本発明の実施の形態１における回路遮断器の動作について説明する。
端子部５を電源に、端子部１０を負荷に接続し、ハンドル８を操作すると、機構部７が動作して可動接触子１が回動し、可動接点２と固定接点３とが接触することにより電力が電源から負荷に供給される。
【００２７】
回路遮断器に定格電流を超過して過電流が流れると、引外し装置９が過電流を検出し、機構部７を動作させ、軸１５を支点に可動接触子１を矢印Ｂ方向に回動させることにより可動接点２と固定接点３が開離し、可動接点２と固定接点３の間にアーク２１が発生するが、小電流領域のアーク２１はエネルギーが小さく、消弧板６１に発生した磁束とアーク電流による電磁力によりアーク２１は消弧装置６０の消弧板６１部へ引き伸ばされて冷却されることによりアーク２１は比較的容易に消弧され、電流は遮断される。
【００２８】
なお、このとき、可動接点２と固定接点３の開閉位置に対する消弧装置６０の関係位置は消弧板６１に発生した磁束とアーク電流による電磁力によりアーク２１が消弧装置６０の消弧板６１部へ引き伸ばされて十分冷却される位置に近接させて配置されている。
【００２９】
回路遮断器の負荷側で短絡事故などが起こり、回路遮断器に短絡電流などの大電流が流れると、可動接点２と固定接点３の間の接触面における電磁反発力や、固定接触子４と可動接触子１との間の電磁反発力が非常に強くなり、可動接触子１は引外し装置９および機構部７による引外し動作を待たずに矢印Ｂ方向に回動し、可動接点２が固定接点３から開離する。
【００３０】
可動接点２が固定接点３から開離することにより、可動接点２と固定接点３間にアーク２１が発生し、このアーク２１によるアークエネルギーにより、カバー１１、ベース１２、クロスバー１４などの周囲の樹脂成型品が溶融し、ガス化させて回路遮断器内部の圧力を瞬間的に上昇させる。
消弧装置６０を構成する受圧板６３はこの圧力を受け、消弧装置６０は板ばね１６の付勢力に抗して支持軸６４を支点として矢印Ｃ方向（図２に示す）に回動する。
なお、この時、消弧装置６０は回路遮断器内部に発生した圧力に比例して回動するものであり、アーク２１を引き伸ばして消弧させるに必要な角度まで回動できるように構成されている。
【００３１】
この結果、消弧板６１に発生した磁束とアーク電流による電磁力によりアーク２１が消弧装置６０の消弧板６１部へ引き伸ばす作用と、消弧装置６０の消弧板６１が可動接点２と固定接点３の開閉位置から遠ざかる方向へ移動してアーク２１を引き伸ばす作用が加わってアーク２１を引き伸ばすので、消弧板６１の端部６１ａにアーク２１が停滞することなく、十分冷却され、アーク抵抗が上昇し、アーク電流を小さく絞る限流作用が生じ、電流のゼロクロス点でアーク２１は消弧されて電流遮断が完了する。
【００３２】
上記の消弧作用は、遮断が困難な直流電流の遮断においても同様であり、消弧装置６０の消弧板６１が可動接点２と固定接点３の開閉位置から遠ざかる方向へ移動することにより、アーク２１が引き伸ばされて十分冷却され、アーク抵抗が上昇し、アーク電流を小さく絞る限流作用が生じ、アーク２１を消弧することができるものである。
【００３３】
なお、上記の実施例では、固定接触子４に固定接点３を固着すると共に可動接触子１に可動接点２を固着して、固定接点３と可動接点２との間で通電電流を入切するようにしたが、例えば、小容量（通電電流が小さい）の回路遮断器では直接、可動接触子１と固定接触子４で通電電流を入切しても良い。
【００３４】
また、消弧装置６０を付勢する弾性部材に板ばね１６を用いたが、圧縮ばね、ひねりばねなどを用いても良い。
さらにまた、消弧装置６０は板ばね１６の付勢力に抗して、支持軸６４を支点として回動させて消弧板６１をアーク２１から遠ざかるようにしたが、消弧装置６０を図２の右方向へスライドさせて消弧板６１をアーク２１から遠ざかるようにしても良い。
【００３５】
以上のように本発明の実施の形態１による回路遮断器によれば、大電流が流れたときに、消弧装置６０を可動接点２（可動接点２を有しない場合は可動接触子１）と固定接点３（固定接点３を有しない場合は固定接触子４）の開閉位置から遠ざかる方向へ移動するように構成させたことにより、消弧装置６０の消弧板６１の端部６１ａにアーク２１が停滞することなく、消弧板６１に発生した磁束とアーク電流による電磁力によりアーク２１が引き伸ばされて十分冷却され、アーク抵抗が上昇し、アーク電流を小さく絞る限流作用が生じ、アーク２１が高速で消弧されるので、回路遮断器の遮断性能を向上させることができる。
【００３６】
実施の形態２．
図４は本発明の実施の形態２における回路遮断器を示す縦断面図、図５は図４の回路遮断器が開路したときの要部拡大図である。
図において、１７は固定接触子４に巻装され固定接触子４に流れる電流に基いて発生する磁束を導く、例えば鋼板などの磁性体により形成された導磁環、６５は導磁環１７の近傍に配設されると共に消弧装置６０に固着された磁性板で、例えば、鋼板などの磁性体により形成されている。
１〜５、７〜１６、２１、６０〜６２及び６４は、上述した実施の形態１に示したものと同様であり、同一符号を付し説明を省略する。
【００３７】
次に、以上のように構成された本発明の実施の形態２における回路遮断器の動作について説明する。
小電流領域である回路遮断器に定格電流を超過して過電流が流れた場合の動作については上述した実施の形態１と同様である。
また、可動接点２と固定接点３の開閉位置と、消弧装置６０の関係位置についても上述した実施の形態１と同様である。
【００３８】
回路遮断器の負荷側で短絡事故などが起こり、回路遮断器に短絡電流などの大電流が流れると、可動接点２と固定接点３の間の接触面における電磁反発力や、固定接触子４と可動接触子１との間の電磁反発力が非常に強くなり、可動接触子１は引外し装置９および機構部７による引外し動作を待たずに矢印Ｄ方向に回動し、可動接点２が固定接点３から開離する。
【００３９】
可動接点２が固定接点３から開離し始めると同時、またはそれよりも早い時期に、固定接触子４を流れる電流に基いて右ねじの法則により固定接触子４の周囲に磁束が発生する。この磁束は導磁環１７に集中して通り導磁環１７が磁化されることにより磁性板６５が吸引され、消弧装置６０は板ばね１６の付勢力に抗して支持軸６４を支点として矢印Ｅ方向に回動する。
なお、この時、消弧装置６０は固定接触子４の周囲に発生した磁束の量に比例して回動するものであり、アーク２１を引き伸ばして消弧させるに必要な角度まで回動できるように構成されている。
【００４０】
この結果、消弧板６１に発生した磁束とアーク電流による電磁力によりアーク２１が消弧装置６０の消弧板６１部へ引き伸ばす作用と、消弧装置６０の消弧板６１が可動接点２と固定接点３の開閉位置から遠ざかる方向へ移動してアーク２１を引き伸ばす作用が加わってアーク２１を引き伸ばすので、消弧板６１の端部６１ａにアーク２１が停滞することなく、十分冷却され、アーク抵抗が上昇し、アーク電流を小さく絞る限流作用が生じ、電流のゼロクロス点でアーク２１は消弧されて電流遮断が完了する。
【００４１】
上記の消弧作用は、遮断が困難な直流電流の遮断においても同様であり、消弧装置６０の消弧板６１が可動接点２と固定接点３の開閉位置から遠ざかる方向へ移動することにより、アーク２１が引き伸ばされて十分冷却され、アーク抵抗が上昇し、アーク電流を小さく絞る限流作用が生じ、アーク２１を消弧することができるものである。
【００４２】
なお、上記の実施例では、固定接触子４に巻装された導磁環１７と、消弧装置６０に固着された磁性板６５を用いて、固定接触子４を流れる電流に基いて固定接触子４の周囲に磁束が発生する磁束を導磁環１７に集中させて導磁環１７を磁化されることにより、大電流通電時に磁性板６５を導磁環１７に吸引させるようにしたが、導磁環１７を配設しないで、固定接触子４の周囲に発生する磁束で直接、磁性板６５が吸引されるようにしても良い。
【００４３】
以上のように本発明の実施の形態２による回路遮断器によれば、大電流が流れたときに、消弧装置６０が可動接点２と固定接点３の開閉位置から遠ざかる方向へ移動するように構成させたことにより、消弧装置６０の消弧板６１の端部６１ａにアーク２１が停滞することなく、消弧板６１に発生した磁束とアーク電流による電磁力によりアーク２１が引き伸ばされて十分冷却され、アーク抵抗が上昇し、アーク電流を小さく絞る限流作用が生じ、アーク２１が高速で消弧されるので、回路遮断器の遮断性能を向上させることができる。
【００４４】
実施の形態３．
図６は本発明の実施の形態３における回路遮断器を示す縦断面図、図７は図６の回路遮断器が開路したときの要部拡大図である。
図において、１７は固定接触子４に巻装され、例えば鋼板などの磁性体により形成された導磁環、１８は、例えば鋼板などの磁性体により形成され、一方端１８ａが固定接触子４にランナ軸１９により回動自在に保持され、他方端１８ｂは可動接点２と固定接点３の開閉位置側に付勢する押圧部材であるひねりばね２０に抗して可動接点２と固定接点３の開閉位置から遠ざかるように回動するアークランナである。
１〜１５及び２１は、上述した従来の技術に示したものと同様であり、同一符号を付し説明を省略する。
【００４５】
次に、以上のように構成された本発明の実施の形態３における回路遮断器の動作について説明する。
回路遮断器に定格電流を超過して過電流が流れると、引外し装置９が過電流を検出し、機構部７を動作させ、軸１５を支点に可動接触子１を矢印Ｆ方向に回動させることにより可動接点２と固定接点３が開離し、可動接点２と固定接点３の間にアーク２１が発生するが、小電流領域のアーク２１はエネルギーが小さく、アークランナ１８の上面を移行しながら消弧板６１に発生した磁束とアーク電流による電磁力によりアーク２１は引き伸ばされて冷却されることによりアーク２１は比較的容易に消弧され、電流は遮断される。
【００４６】
回路遮断器の負荷側で短絡事故などが起こり、回路遮断器に短絡電流などの大電流が流れると、可動接点２と固定接点３の間の接触面における電磁反発力や、固定接触子４と可動接触子１との間の電磁反発力が非常に強くなり、可動接触子１は引外し装置９および機構部７による引外し動作を待たずに矢印Ｆ方向に回動し、可動接点２が固定接点３から開離する。
【００４７】
可動接点２が固定接点３から開離し始めると同時またはそれよりも早い時期に、固定接触子４を流れる電流に基づいて右ねじの法則により固定接触子４の周囲に磁束が発生する。この磁束は導磁環１７に集中して通り導磁環１７が磁化されることによりアークランナ１８が吸引され、アークランナ１８はひねりばね２０の付勢力に抗してランナ軸１９を支点として矢印Ｇ方向に回動する。
【００４８】
アーク２１は消弧板６ａに発生した磁束とアーク電流による電磁力によりアーク２１は引き伸ばされながらアークランナ１８の上面を移行する。アークランナ１８の他方端１８ｂが矢印Ｇ方向に回動することにより、アーク２１は更に矢印Ｈ方向へ移行し引き伸ばされて冷却され、アーク抵抗が上昇し、アーク電流を小さく絞る限流作用が生じ、電流のゼロクロス点でアーク２１は消弧されて電流遮断が完了する。
【００４９】
以上のように本発明の実施の形態３による回路遮断器によれば、大電流が流れたときに、アーク２１は消弧板６１に発生した磁束とアーク電流による電磁力により引き伸ばされながらアークランナ１８の上面を通って消弧装置６の消弧板６ａ方向へ速やかに移行すると共に、アークランナ１８の他方端１８ｂが回動することにより、アーク２１は更に可動接点２と固定接点３の開閉位置から遠ざかる方向に移行するので、アーク２１は引き伸ばされて十分冷却され、アーク抵抗が上昇し、アーク電流を小さく絞る限流作用が生じ、アーク２１が高速で消弧されるので、回路遮断器の遮断性能を向上させることができる。
【００５０】
なお、上記の実施例では、固定接触子４に巻装された導磁環１７を用いて、固定接触子４を流れる電流に基いて固定接触子４の周囲に磁束が発生する磁束を導磁環１７に集中させて導磁環１７を磁化されることにより、大電流通電時にアークランナ１８を回動させるようにしたが、導磁環１７を配設しないで、固定接触子４の周囲に発生する磁束で直接、アークランナ１８を回動させるようにしても良い。
【００５１】
なお、実施の形態１から実施の形態３において、実施例の構成を夫々、単独での説明を行ったが、これらを組合わせて実施することも可能であり、組合わせて実施することにより、回路遮断器の遮断性能を更に向上させることができるものである。
【発明の効果】
【００５２】
以上のように、本発明の回路遮断器によれば、消弧装置に固着された磁性板が固定接触子に流れる電流に基いて固定接触子の周囲に発生する磁束により吸引され、消弧装置を可動接点（可動接触子）と固定接点（固定接触子）の開閉位置から遠ざかるように移動するようにしたので、小電流領域における電流の遮断だけでなく、大電流領域における電流の遮断においても、アークが十分引き伸ばされて冷却され、アークが高速で消弧されるので、回路遮断器の遮断性能を満足させることができる。
【００５４】
また、消弧装置を可動接点（可動接触子）と固定接点（固定接触子）の開閉位置側に付勢する弾性部材を備えたので、消弧装置は固定接触子に流れる電流に基いて固定接触子の周囲に発生する磁束による吸引力の大きさに比例して移動し、回路遮断器の遮断性能を確保する。
【００５５】
また、固定接触子に巻装した導磁環を備えて、固定接触子に流れる電流に基いて発生する磁束を導くようにしたので消弧装置に固着された磁性板が確実に吸引され、アークを可動接点（可動接触子）と固定接点（固定接触子）の開閉位置から遠ざかる方向に確実に移行させることができる。
【００５６】
また、一方端が上記固定接触子に回動自在に保持され、他方端が可動接点（可動接触子）と固定接点（固定接触子）の開閉位置側に付勢する押圧部材に抗して可動接点（可動接触子）と固定接点（固定接触子）の開閉位置から遠ざかるように回動するアークランナを備えたので、固定接触子に流れる電流に基いて固定接触子の周囲に発生する磁束が所定の磁束量以上のときに回動してアークを可動接点（可動接触子）と固定接点（固定接触子）から遠ざかる方向に移行させて、アークを十分引き伸ばして冷却するので、アークが高速で消弧され、小電流領域における電流の遮断だけでなく、大電流領域における電流の遮断においても、回路遮断器の遮断性能を満足させることができる。
【００５７】
また、固定接触子に巻装した導磁環を備えて、固定接触子に流れる電流に基いて発生する磁束を導くようにしたのでアークランナが確実に吸引され、アークを可動接点（可動接触子）と固定接点（固定接触子）の開閉位置から遠ざかる方向に確実に移行させることができる。
【図面の簡単な説明】
【図１】  本発明の実施の形態１における回路遮断器を示す縦断面図である。
【図２】  図１の回路遮断器が開路したときの要部拡大断面図である。
【図３】  図１の回路遮断器の消弧装置の単体図で（ａ）は平面図、（ｂ）は右側面図である。
【図４】  本発明の実施の形態２における回路遮断器を示す縦断面図である。
【図５】  図４の回路遮断器が開路したときの要部拡大図である。
【図６】  本発明の実施の形態３における回路遮断器を示す縦断面図である。
【図７】  図６の回路遮断器が開路したときの要部拡大図である。
【図８】  従来の回路遮断器を示す縦断面図である。
【図９】  図８の回路遮断器が開路したときの要部拡大断面図である。
【図１０】  図８の回路遮断器の消弧装置の単体図で（ａ）は平面図、（ｂ）は右側面図である。
【符号の説明】
１  可動接触子、２  可動接点、３  固定接点、４  固定接触子、
６，６０  消弧装置、６ａ，６１  消弧板、６ｂ，６２  消弧側板、１３  筐体、
１６  弾性部材（板ばね）、１７  導磁環、１８  アークランナ、
１８ａ  一方端、１８ｂ  他方端、２０  押圧部材（ひねりばね）、
２１  アーク、６３  受圧板、６５  磁性板。
【図１】
0004103372.tif 000002
【図２】
0004103372.tif 000003
【図３】
0004103372.tif 000004
【図４】
0004103372.tif 000005
【図５】
0004103372.tif 000006
【図６】
0004103372.tif 000007
【図７】
0004103372.tif 000008
【図８】
0004103372.tif 000009
【図９】
0004103372.tif 000010
【図１０】
0004103372.tif 000011